(57)【要約】【課題】同一のデータ、機能を有する複数の無線通信端末を切替える。【解決手段】ＦＭＣ制御装置３０は、複数の無線端末装置２０のうち、充電中の第１無線端末装置２０ａに割り振られた電話番号と第３無線端末装置２０ｃに割り振られた電話番号とを入れ替える。これにより、ユーザは、充電中であっても、充電中の第１無線端末装置２０ａに割り振られた電話番号を用いて、第３無線端末装置２０ｃを操作することにより、充電中の第１無線端末装置２０ａにおける環境と同じ環境で、通話等の通信を実行できる。【選択図】図２
2009088715.tif 000002
【特許請求の範囲】
【請求項１】
公衆用の無線通信システムにて、無線通信を実行する公衆用無線通信部と、
前記公衆用無線通信部によって使用される公衆用の無線通信システムに対応付けられた識別情報であって、当該無線端末装置を識別するための識別情報を記憶するメモリと、
前記公衆用無線通信部によって使用される公衆用の無線通信システムとは別の通信システムを用いて、当該無線端末装置とは別の無線端末装置を検出する端末検出部と、
前記公衆用無線通信部における公衆用の無線通信システムの機能を停止する機能制御部と、
前記機能制御部によって機能が停止された後に、前記別の通信システムを用いて、前記メモリに記憶された当該無線端末装置の識別情報を、前記端末検出部において検出された別の無線端末装置に通知することによって、別の無線端末装置に前記識別情報を用いた公衆用の無線通信システムによる無線通信を可能にさせるデータ制御部と、
を備えることを特徴とする無線端末装置。
【請求項２】
前記機能制御部は、当該無線端末装置の充電が開始されたことを契機として、前記公衆用無線通信部における公衆用の無線通信システムの機能を停止し、当該無線端末装置の充電が終了した場合、前記別の無線端末装置に記憶された識別情報を消去させて、前記公衆用無線通信部における公衆用の無線通信システムの機能を有効にすることを特徴とする請求項１に記載の無線端末装置。
【請求項３】
前記データ制御部は、前記別の通信システムとして、自営用の無線通信システムを用いて通知することを特徴とする請求項１または２に記載の無線端末装置。
【請求項４】
前記機能制御部は、前記端末検出部において別の無線端末装置が検出された場合に、公衆用の無線通信システムの機能を停止することを特徴とする請求項１から３のいずれかに記載の無線端末装置。
【請求項５】
前記メモリに対するアクセスを制御する記憶管理部をさらに備え、
前記メモリは、前記識別情報を格納するための識別情報記憶部と、前記識別情報以外のデータ情報を格納するためのデータ記憶部とを含み、
前記データ制御部は、前記記憶管理部に対して、前記識別情報記憶部に格納された識別情報と、前記データ記憶部に格納されたデータ情報との読み出しを指示し、読み出させた識別情報とデータ情報とをまとめて前記別の無線端末装置に通知することを特徴とする請求項１から４のいずれかに記載の無線端末装置。
【請求項６】
前記記憶管理部は、前記識別情報記憶部に対する書き込みの際に認証処理を実行することによって、不正な書込みを防止することを特徴とする請求項５に記載の無線端末装置。
【請求項７】
前記記憶管理部は、前記識別情報記憶部に格納されている識別情報と、前記データ記憶部に格納されているデータ情報のうちの少なくとも一部を一括して消去または無効化する手段を含むことを特徴とする請求項５または６に記載の無線端末装置。
【請求項８】
前記記憶管理部は、前記データ制御部による通知の後に、前記別の通信システムを介して、前記別の無線端末装置との間で、同一の識別情報、もしくは、同一のデータ情報が同時に有効とならないように、前記消去または無効化する手段を用いて、前記メモリに対するアクセスを制御することを特徴とする請求項７に記載の無線端末装置。
【請求項９】
前記データ制御部は、前記別の無線端末装置との間において、前記識別情報記憶部に格納されている識別情報と、前記データ記憶部に格納されているデータ情報とのうち、無効化されていない情報について交換することを特徴とする請求項５から８のいずれかに記載の無線端末装置。
【請求項１０】
前記機能制御部は、前記記憶管理部に含まれた消去または無効化する手段により、公衆用の無線通信システムの機能を停止することを特徴とした請求項７から９のいずれかに記載の無線端末装置。
【請求項１１】
前記メモリに格納されるべき識別情報は、公衆用の無線通信における電話番号に対応した情報であることを特徴とする請求項１から１０のいずれかに記載の無線端末装置。
【請求項１２】
前記データ制御部は、ユーザが当該無線端末装置に対して指示したことを契機として、当該無線端末装置の識別情報を、前記端末検出部において検出された別の無線端末装置に通知することを特徴とする請求項１から１１のいずれかに記載の無線端末装置。
【請求項１３】
当該無線端末装置が位置している場所を検出する場所検出部をさらに備え、
前記データ制御部は、前記場所検出部により、当該無線端末装置が予め設定された特定の場所に位置していることが検出されたことを契機として、当該無線端末装置の識別情報を、前記端末検出部において検出された別の無線端末装置に通知することを特徴とする請求項１から１１のいずれかに記載の無線端末装置。
【請求項１４】
公衆用の無線通信システムにて、無線通信を実行するステップと、
前記公衆用の無線通信システムに対応付けられた識別情報であって、当該無線端末装置を識別するための識別情報を記憶するステップと、
前記公衆用の無線通信システムとは別の通信システムを用いて、当該無線端末装置とは別の無線端末装置を検出するステップと、
前記公衆用の無線通信システムの機能を停止するステップと、
前記公衆用の無線通信システムの機能が停止された後に、通信システムを用いて、記憶された当該無線端末装置の識別情報を別の無線端末装置に通知することによって、別の無線端末装置に前記識別情報を用いた公衆用の無線通信システムによる無線通信を可能にさせるステップと、
を含むことを特徴とする通信方法。
【発明の詳細な説明】
【技術分野】
【０００１】
本発明は、通信技術に関し、特に、１以上の端末装置を制御する通信方法およびそれを利用した無線端末装置に関する。
【背景技術】
【０００２】
近年、通信の規制緩和にともない、さまざまな通信方式が開発されている。ユーザは、複数の端末装置を所有する場合、個々の通信方式に対応した通信端末を使い分ける必要がある。一般的に、端末装置は、ユーザによって電話番号や電子メールアドレスなどのデータを登録できる機能を有する。しかしながら、複数の端末装置を所有する場合、すべての端末装置にデータを登録する作業は、データの数に比例して困難な作業となっていた。このような課題に対し、従来、通信によりデータを転送する技術が開示されている（たとえば、特許文献１、２参照）。
【特許文献１】特開２００４−０５６５０８号公報
【特許文献２】特開２００４−３４９７９１号公報
【発明の開示】
【発明が解決しようとする課題】
【０００３】
一般的に、複数の端末装置を所有している場合、端末装置ごとに割り振られている電話番号はそれぞれ異なる。したがって、ユーザは、複数の無線通信端末を携帯する必要があった。また、端末装置に記憶された通話先電話番号や電子メールアドレスなどのデータは、個人情報に該当する場合があるため、台数に比例して、それらの情報セキュリティ管理が困難となっていた。
【０００４】
本発明はこうした状況に鑑みてなされたものであり、その目的は、１以上の端末装置を制御するための技術を提供することにある。
【課題を解決するための手段】
【０００５】
上記課題を解決するために、本発明のある態様の無線端末装置は、公衆用の無線通信システムにて、無線通信を実行する公衆用無線通信部と、公衆用無線通信部によって使用される公衆用の無線通信システムに対応付けられた識別情報であって、当該無線端末装置を識別するための識別情報を記憶するメモリと、公衆用無線通信部によって使用される公衆用の無線通信システムとは別の通信システムを用いて、当該無線端末装置とは別の無線端末装置を検出する端末検出部と、公衆用無線通信部における公衆用の無線通信システムの機能を停止する機能制御部と、機能制御部によって機能が停止された後に、別の通信システムを用いて、メモリに記憶された当該無線端末装置の識別情報を、端末検出部において検出された別の無線端末装置に通知することによって、別の無線端末装置に識別情報を用いた公衆用の無線通信システムによる無線通信を可能にさせるデータ制御部と、を備える。データ制御部は、別の通信システムとして、自営用の無線通信システムを用いて通知してもよい。機能制御部は、端末検出部において別の無線端末装置が検出された場合に、公衆用の無線通信システムの機能を停止してもよい。
【０００６】
本発明の別の態様もまた、本発明のある態様の端末切替装置は、無線端末装置を識別するための識別情報と所定のデータとが記憶された第１無線端末装置と、第１無線端末装置の識別情報とは異なる識別情報が記憶された第２無線端末装置とをそれぞれ検出する端末検出部と、端末検出部において第１無線端末装置と第２無線端末装置の双方が検出された場合、第１無線端末装置の識別情報を第２無線端末装置に記憶しながら、所定のデータを第２無線通信装置に記憶させるデータ制御部と、を備える。
【０００７】
ここで、「識別情報」とは、無線端末装置ごとに割り振られた電話番号を含む。この態様によると、第１無線端末装置の識別情報を第２無線端末装置に記憶しながら、所定のデータを第２無線通信装置に記憶させることによって、同一の電話番号を複数の無線通信装置の間で切替えることができ、ユーザの利便性を向上できる。なお、第２無線端末装置の識別情報を第１無線端末装置に記憶してもよい。
【０００８】
第１無線端末装置と第２無線端末装置とは、識別情報に対応づけられた無線通信とは別の無線通信を実行し、端末検出部は、第１無線端末装置を介し、別の無線通信により、第２端末装置を検出してもよい。
【０００９】
ここで、「識別情報に対応づけられた無線通信」とは、電話番号と回線とが対応づけられた無線通信を含み、たとえば、ＩＰアドレスと対応づけられた無線ＬＡＮなどを含む。「別の無線通信」とは、近距離の無線通信回線を含み、たとえば、赤外線による無線通信を含む。この態様のように第２無線端末装置を検出するために第１無線端末装置の別の無線通信を用いると、第２無線端末装置を検出するための装置が不要となるため、システムに要するコストを低減できる。
【００１０】
データ制御部は、第１無線端末装置の識別情報を第２無線端末装置に記憶した後に、第２無線端末装置の識別情報を元の状態に戻す場合、第２無線端末装置に記憶された所定のデータを消去してもよい。
【００１１】
ここで、「第２無線端末装置の識別情報を元の状態に戻す場合」とは、第２無線端末装置に記憶されていた第１無線端末装置にかかる識別情報を消去するとともに、過去に記憶されていた第２無線端末装置用の識別情報を、再度、第２無線端末装置の識別情報として記憶することを含む。この態様によると、第１無線端末装置の識別情報を第２無線端末装置に記憶した後に、第２無線端末装置の識別情報を元の状態に戻す場合、第２無線端末装置に記憶された所定のデータを消去することによって、情報セキュリティ管理を強化できる。
【００１２】
本発明の別の態様もまた、端末切替装置である。この装置は、所定のデータを記憶する第１無線端末装置であって、公衆用の無線通信機能が使用可能に設定されている第１無線端末装置を検出し、公衆用の無線通信機能と自営網無線通信機能とを有し、公衆用の無線通信機能が使用不可能に設定されている第２無線端末装置を自営網を介して検出する端末検出部と、端末検出部において第１無線端末装置と第２無線端末装置の双方が検出された場合、第１無線端末装置における公衆用の無線通信機能を使用不可能に設定し、さらに、第２無線端末装置における公衆用の無線通信機能を使用可能に設定しながら、所定のデータを第２無線通信装置に記憶させるデータ制御部と、を備える。
【００１３】
ここで、「公衆用の無線通信機能」とは、公衆のネットワークに接続できる移動無線通信機能を含み、たとえば、ＣＤＭＡ（Ｃｏｄｅ  Ｄｉｖｉｓｉｏｎ  Ｍｕｌｔｉｐｌｅ  Ａｃｃｅｓｓ）移動無線通信機能などを含む。また、「自営網無線通信機能」とは、自営網を介して公衆のネットワークに接続できる無線通信機能を含み、たとえば、無線ＬＡＮ（Ｌｏｃａｌ  Ａｒｅａ  Ｎｅｔｗｏｒｋ）通信機能などを含む。この態様によると、第１無線端末装置における公衆用の無線通信機能を使用不可能に設定し、さらに、第２無線端末装置における公衆用の無線通信機能を使用可能に設定しながら、所定のデータを第２無線通信装置に記憶させることによって、いずれか１つの無線通信端末による通信のみが可能となり、情報セキュリティ管理を強化できる。
【００１４】
データ制御部は、第１無線端末装置における公衆用の無線通信機能を使用不可能に設定した後に、第１無線端末装置における公衆用の無線通信機能を使用可能の状態に戻す場合、第２無線端末装置における公衆用の無線通信機能を使用不可能に設定しながら、所定のデータを第２無線通信装置から消去させてもよい。
【００１５】
この態様によると、第２無線端末装置における公衆用の無線通信機能を使用不可能に設定しながら、所定のデータを第２無線通信装置から消去させることによって、情報セキュリティ管理をより強化できる。
【００１６】
本発明のさらに別の態様は、端末切替方法である。この方法は、無線端末装置を識別するための識別情報と所定のデータとが記憶された第１無線端末装置と識別情報とは異なる識別情報を記憶する第２無線端末装置とを検出した場合、第１無線端末装置の識別情報を第２無線端末装置に記憶しながら、所定のデータを第２無線通信装置に記憶する。
【００１７】
本発明のさらに別の態様もまた、端末切替方法である。この方法は、所定のデータを記憶する第１無線端末装置であって、少なくとも公衆用の無線通信機能を有し、公衆用の無線通信機能が使用可能に設定されている第１無線端末装置を検出し、公衆用の無線通信機能と自営網通信機能とを有し、公衆用の無線通信機能が使用不可能に設定されている第２無線端末装置を自営網を介して検出した場合、第１無線端末装置における公衆用の無線通信機能を使用不可能に設定し、さらに、第２無線端末装置における公衆用の無線通信機能を使用可能に設定しながら、所定のデータを第２無線通信装置に記憶する。
【００１８】
なお、以上の構成要素の任意の組合せ、本発明の表現を方法、装置、システム、記録媒体、コンピュータプログラムなどの間で変換したものもまた、本発明の態様として有効である。
【発明の効果】
【００１９】
本発明によれば、複数の端末装置を制御する端末切替方法およびそれを用いた端末切替装置を実現できる。
【発明を実施するための最良の形態】
【００２０】
（実施形態１）
本発明の実施形態１を具体的に説明する前に、まず、本発明の実施形態１の概要について述べる。本発明の実施形態１にかかる通信システムは、ＦＭＣ通信システムであって、ＦＭＣ（Ｆｉｘｅｄ／Ｍｏｂｉｌｅ  Ｃｏｎｖｅｒｇｅｎｃｅ）サーバと、複数の無線端末装置とを有する。ＦＭＣサーバは、複数の無線端末装置と無線ＬＡＮによる通信を実行し、それぞれの無線端末装置に記憶されたデータを管理する。
【００２１】
ＦＭＣサーバは、複数の無線端末装置のうち、充電中の無線通信端末に割り振られた電話番号と他の無線通信端末に割り振られた電話番号とを入れ替える。また、ＦＭＣサーバは、充電中の無線通信端末に記憶されたユーザデータ（所定のデータ）を他の無線通信端末に記憶する。これにより、ユーザは、充電中であっても、充電中の無線端末装置に割り振られた電話番号を用いて、他の無線通信端末を操作することにより、充電中の無線端末装置における環境と同じ環境で、通話等の通信を実行できることとなる。このようにＦＭＣ通信システムと連動させて、複数の無線端末装置をそれぞれ入れ替えることによって、ユーザの利便性を向上できる。詳細は後述する。
【００２２】
ここで、「ＦＭＣ通信システム」について説明する。ＦＭＣ通信システムとは、宅内などに固定的に設置されたサーバを介した有線回線（Ｆｉｘｅｄ）による通信と、屋外等において移動しながらでも通信を実行できる移動（Ｍｏｂｉｌｅ）通信とを融合（Ｃｏｎｖｅｒｇｅｎｃｅ）した通信システムである。
【００２３】
図１（ａ）、（ｂ）に、本発明の実施形態１にかかるＦＭＣ通信システム１００の第１、第２の態様例を示す。図１（ａ）、（ｂ）において、ＦＭＣ通信システム１００は、ＦＭＣサーバ８０と、ネットワーク５０で代表される移動通信ネットワーク５２と固定通信ネットワーク５４と、無線端末装置２０で代表される第１無線端末装置２０ａと第２無線端末装置２０ｂと、移動通信用基地局装置７０で代表される第１移動通信用基地局装置７０ａと第２移動通信用基地局装置７０ｂとを含む。第１無線端末装置２０ａ、第２無線端末装置２０ｂのそれぞれは、移動通信用基地局装置７０と移動通信を実行するための第１移動無線用アンテナ２２ａもしくは第２移動無線用アンテナ２２ｂと、表示制御装置１０と無線ＬＡＮによる通信を実行するための第１無線ＬＡＮ用アンテナ２４ａもしくは第２無線ＬＡＮ用アンテナ２４ｂとを有する。以下において、移動無線用アンテナ２２は、第１移動無線用アンテナ２２ａと第２移動無線用アンテナ２２ｂとを代表し、また、無線ＬＡＮ用アンテナ２４は、第１無線ＬＡＮ用アンテナ２４ａと第２無線ＬＡＮ用アンテナ２４ｂとを代表するものとする。なお、ＦＭＣ通信システム１００は、移動通信ネットワーク５２と固定通信ネットワーク５４との間に図示しない制御サーバを含んでもよい。
【００２４】
移動通信用基地局装置７０とＦＭＣサーバ８０は、それぞれの通信エリア内に存在する無線端末装置２０との間で無線通信を実行する。図１（ａ）においては、第１移動通信用基地局装置７０ａは、破線で示す第１通信エリア４１０内に存在する第１無線端末装置２０ａとの間で無線通信を実行し、第２移動通信用基地局装置７０ｂは、破線で示す第２通信エリア４２０内に存在する第２無線端末装置２０ｂとの間で無線通信を実行する。なお、第１通信エリア４１０と第２通信エリア４２０は、屋外における通信エリアであってもよい。また、第１通信エリア４１０と第２通信エリア４２０とは、後述する第３通信エリア４３０より広い範囲を有する通信エリアである。
【００２５】
たとえば、第１無線端末装置２０ａと第２無線端末装置２０ｂとの間で通信を実行する場合、第１無線端末装置２０ａは、まず、第１移動通信用基地局装置７０ａとの間で無線通信を実行する。ついで、第１移動通信用基地局装置７０ａは、ネットワーク５０を介して、第２移動通信用基地局装置７０ｂと有線通信を実行する。さらに、第２移動通信用基地局装置７０ｂは、第２無線端末装置２０ｂとの間で無線通信を実行し、これにより、第１無線端末装置２０ａと第２無線端末装置２０ｂとの間で通信が可能となる。なお、図１（ａ）における無線端末装置２０と移動通信用基地局装置７０との間の無線通信は、ＣＤＭＡ方式による通信などの既知の移動通信方式により実行されてもよい。
【００２６】
図１（ｂ）は、図１（ａ）において第２通信エリア４２０内に存在した第２無線端末装置２０ｂが、第３通信エリア４３０内に移動した場合を示している。図１（ｂ）においては、第１無線端末装置２０ａと第２無線端末装置２０ｂとの間で通信を実行する場合、第１無線端末装置２０ａは、まず、第１移動通信用基地局装置７０ａとの間で無線通信を実行する。ついで、第１移動通信用基地局装置７０ａは、移動通信ネットワーク５２、固定通信ネットワーク５４を介して、ＦＭＣサーバ８０と有線通信を実行する。
【００２７】
ここで、ＦＭＣサーバ８０は、第２無線端末装置２０ｂとの間で、無線端末装置２０と移動通信用基地局装置７０との無線通信方式とは異なる無線通信方式を実行することによって、第１無線端末装置２０ａと第２無線端末装置２０ｂとの間の通信を可能とさせる。なお、「異なる無線通信方式」とは、無線ＬＡＮ方式などの通信方式を含み、移動通信に比べ狭いエリアを通信エリアとする近距離無線通信方式であってもよい。ここでは、無線ＬＡＮ方式による通信の場合について説明する。この場合において、ＦＭＣサーバ８０は、第２無線端末装置２０ｂを無線ＬＡＮ方式などの近距離無線通信方式における端末装置として認識することによって、ネットワーク５０を介して送信された信号を第２無線端末装置２０ｂに中継できる。
【００２８】
中継処理は、以下の手順により実行される。まず、第２無線端末装置２０ｂがＦＭＣサーバ８０の第３通信エリア４３０に移動した際に、第２無線端末装置２０ｂは識別情報をＦＭＣサーバ８０に送信し、ＦＭＣサーバ８０は、その識別情報を認証し、登録する。つぎに、ＦＭＣサーバ８０は、図示しない制御サーバに第２無線端末装置２０ｂにかかる識別情報を登録する。ここで、第２無線端末装置２０ｂに対する通信の要求があった場合、制御サーバは、その通信の経路をＦＭＣサーバ８０を介する経路に設定する。このような処理により、第２無線端末装置２０ｂは、ＦＭＣサーバ８０を介して、無線ＬＡＮ方式により通信を実行できることとなる。なお、ＦＭＣサーバ８０に代わって第２無線端末装置２０ｂが制御サーバに識別情報を登録してもよい。
【００２９】
一般的に、通常の移動通信方式に比べ、近距離の無線通信方式は、通信環境が安定している場合が多いため、通信品質がよく、伝送レートなども高速となる。したがって、このような態様により、無線端末装置２０は、いずれの通信エリアにおいても通信を実行することができ、また、より好ましい通信環境で通信を実行できることとなる。また、無線端末装置２０は、１つの電話番号のみで、複数の無線通信方式により通信が実行でき、これにより、柔軟な通信環境をユーザに提供できる。
【００３０】
図２は、図１の第３通信エリア４３０内における通信システムの構成例を示す図である。第３通信エリア４３０内においては、ＦＭＣ制御装置３０と、充電装置３２と、アクセスポイント（以下、「ＡＰ３４」と表記する）と、第１無線端末装置２０ａと第３無線端末装置２０ｃとが存在する。なお、説明の便宜上、以下においては、第１無線端末装置２０ａを所有するユーザは、第３通信エリア４３０内に存在し、さらに、第１無線端末装置２０ａを充電する場合について説明する。また、第３無線端末装置２０ｃに第１無線端末装置２０ａの無線ＬＡＮにおけるＩＰアドレスなどの識別情報等を登録する場合について説明する。ここで、第３無線端末装置２０ｃは、移動無線用アンテナ２２と後述の移動無線通信部２６が無くてもよい。
【００３１】
ＦＭＣ制御装置３０は、充電装置３２またはＡＰ３４を介し、無線端末装置２０との間で無線ＬＡＮによる通信を実行する。ＦＭＣ制御装置３０と充電装置３２との間や、ＦＭＣ制御装置３０とＡＰ３４との間の通信は有線回線によって実行されてもよいし、無線回線によって実行されてもよい。ＡＰ３４は、ＦＭＣ制御装置３０と無線端末装置２０との間の通信を中継する。ここで、ＦＭＣ制御装置３０は、公知のＤＨＣＰの機能を有し、第１無線端末装置２０ａと第３無線端末装置２０ｃのＩＰアドレスなどを管理してもよい。なお、説明の便宜上、充電装置３２、ＡＰ３４はそれぞれ１つの構成のみ図示したが、複数の充電装置３２やＡＰ３４がＦＭＣ制御装置３０に接続されていてもよい。
【００３２】
充電装置３２は、無線端末装置２０に対し電力を供給する図示しない電力供給部と、無線端末装置２０とＦＭＣ制御装置３０との間の通信を中継する図示しない通信部とを有する。充電装置３２は、図示しない充電端子に第１無線端末装置２０ａの充電端子が接触したことを契機として、第１無線端末装置２０ａに対し、電力を供給する。また、通信部は、充電端子に第１無線端末装置２０ａの充電端子が接触したことを契機として、ＦＭＣ制御装置３０に対し、第１無線端末装置２０ａを検出した旨を通知する。この通知には、接続された第１無線端末装置２０ａから取得した第１無線端末装置２０ａのＩＰアドレスを含めてもよい。ＦＭＣ制御装置３０は、充電装置３２からの通知を受け、ＦＭＣ制御装置３０と無線端末装置２０との間の通信の中継を開始する。これにより、第１無線端末装置２０ａは、ＡＰ３４だけでなく、充電装置３２を介しても、ＦＭＣ制御装置３０との間で通信を実行できることとなる。
【００３３】
以上の態様のもと、ＦＭＣ制御装置３０は、以下の手順で、第１無線端末装置２０ａと第３無線端末装置２０ｃとの間で、無線ＬＡＮなどの自営網通信機能を入れ替える処理を実行する。
【００３４】
（１）ＦＭＣ制御装置３０は、第１無線端末装置２０ａが充電装置３２に接続されたことを検知する。また、ＦＭＣ制御装置３０は、ＡＰ３４を介して、第３無線端末装置２０ｃを検知する。
【００３５】
（２）ＦＭＣ制御装置３０は、充電装置３２に第１無線端末装置２０ａが接続されたことを契機として、充電装置３２を介して、第１無線端末装置２０ａの識別情報を取得する。ＦＭＣ制御装置３０は、第１無線端末装置２０ａと第３無線端末装置２０ｃに識別情報を要求してもよい。また、ＦＭＣ制御装置３０は、第１無線端末装置２０ａに記憶されたユーザデータを要求する。第１無線端末装置２０ａに対する要求信号は、充電装置３２を介してもよく、また、ＡＰ３４を介して送信されてもよい。
【００３６】
（３）ＦＭＣ制御装置３０は、第１無線端末装置２０ａから受け取った識別情報を第３無線端末装置２０ｃに送信する。また、ＦＭＣ制御装置３０は、第１無線端末装置２０ａから受け取ったユーザデータを第３無線端末装置２０ｃに送信する。さらに、ＦＭＣ制御装置３０は、第３無線端末装置２０ｃから受け取った識別情報を第１無線端末装置２０ａに送信してもよい。
【００３７】
（４）第３無線端末装置２０ｃは、受信した識別情報を自己の識別情報として登録する。また、第３無線端末装置２０ｃは、受信したユーザデータを登録する。また、第１無線端末装置２０ａは、受信した識別情報を自己の識別情報として登録してもよい。ここで、ユーザデータは、たとえば、通話先電話番号、電子メールアドレス、過去の送受信メールの内容、または、それらに対応づけられた氏名や住所などの個人情報を含む。
【００３８】
これにより、第１無線端末装置２０ａが充電中であっても、ネットワーク５０側の設定を変えることなく、ユーザは、第１無線端末装置２０ａの電話番号を有する第３無線端末装置２０ｃを用いて、通信を実行できる。第１無線端末装置２０ａに割り当てられた電話番号宛への通信要求があった場合、その通信経路は、ＦＭＣ制御装置３０とＡＰ３４を介して、第３無線端末装置２０ｃへと設定されることとなる。
【００３９】
つぎに、ユーザが第１無線端末装置２０ａを充電装置３２から取り出した場合に、再び、第１無線端末装置２０ａと第３無線端末装置２０ｃとを入れ替え、元の使用環境に戻す場合の手順について説明する。なお、「第１無線端末装置２０ａを充電装置３２から取り出した場合」とは、第１無線端末装置２０ａに蓄積された電力が最大の電力量となった場合だけでなく、充電の途中において、第１無線端末装置２０ａが充電装置３２から取り外された場合を含む。
【００４０】
（１）ＦＭＣ制御装置３０は、無線端末装置２０が充電装置３２から取り外されたことを検知する。具体的には、充電装置３２を介した第１無線端末装置２０ａとの間の通信が継続できなかったことを検出した場合、ＦＭＣ制御装置３０は、無線端末装置２０が充電装置３２から取り外されたと判定する。また、ＦＭＣ制御装置３０は、ＡＰ３４を介して、第３無線端末装置２０ｃを検知する。なお、ＦＭＣ制御装置３０は、ユーザの操作により、第１無線端末装置２０ａから、元の使用環境に戻す旨の通知を受けたことを契機として、無線端末装置２０が充電装置３２から取り外されたと判定してもよい。
【００４１】
（２）ＦＭＣ制御装置３０は、ＡＰ３４を介し、第１無線端末装置２０ａと第３無線端末装置２０ｃのそれぞれに識別情報の要求信号を送信する。また、ＦＭＣ制御装置３０は、第３無線端末装置２０ｃから受け取った識別情報を第１無線端末装置２０ａに送信し、第１無線端末装置２０ａにその識別情報を登録させる。さらに、ＦＭＣ制御装置３０は、第１無線端末装置２０ａから受け取った識別情報を第３無線端末装置２０ｃに送信し、第３無線端末装置２０ｃにその識別情報を登録させる。
【００４２】
（３）ここで、ＦＭＣ制御装置３０は、第３無線端末装置２０ｃに対し、登録されたユーザデータの消去を要求する信号を送信する。第３無線端末装置２０ｃは、要求信号にもとづき、記憶されたユーザデータを消去する。
【００４３】
以上の態様により、使用環境を元の状態に戻すことができる。また、ユーザデータは、第３無線端末装置２０ｃに残存しないため、セキュリティを強化できることとなる。たとえば、会社内にＦＭＣ制御装置３０が設置されており、その会社に所属する一社員が使用する第１無線端末装置２０ａを充電し、社員間で共有して使用する第３無線端末装置２０ｃにユーザデータを移動する場合、第３無線端末装置２０ｃに第１無線端末装置２０ａのユーザデータが残存するのは、セキュリティ上、好ましくない。したがって、上述した態様により、第１無線端末装置２０ａと第３無線端末装置２０ｃの使用環境を元に戻す際に、第３無線端末装置２０ｃに記憶された第１無線端末装置２０ａのユーザデータを消去させることによって、セキュリティを強化することとしている。
【００４４】
図３は、図２のＦＭＣ制御装置３０の構成例を示す図である。ＦＭＣ制御装置３０は、第１通信部６０と、第２通信部６２と、端末検出部６４と、データ制御部６６とを含む。第２通信部６２は、ＡＰ３４を介し、無線端末装置２０と無線ＬＡＮによる通信を実行する。また、第２通信部６２は、充電装置３２と有線通信を実行し、また、充電装置３２を介し、無線端末装置２０と有線通信を実行する。これらの通信において、第２通信部６２は、第１通信部６０を介して、ネットワーク５０との間の通信を中継する。同様に、第１通信部６０は、ネットワーク５０を介して受信した信号を第２通信部６２に中継し、また、第２通信部６２から送信された信号をネットワーク５０に中継する。
【００４５】
ここで、充電装置３２から無線端末装置２０が充電装置３２に接続された／取り外された旨の報告があった場合や、ＡＰ３４を介して無線端末装置２０を検知した旨の報告があった場合、第２通信部６２は、その報告を端末検出部６４に伝える。報告には、検知した無線端末装置２０を識別するための識別情報や無線端末装置２０に記憶されたユーザデータが含まれていてもよい。端末検出部６４は、充電装置３２を介して第１無線端末装置２０ａを検知し、かつ、ＡＰ３４を介して第３無線端末装置２０ｃを検知した場合、第１無線端末装置２０ａと第３無線端末装置２０ｃのそれぞれの識別番号をデータ制御部６６に通知する。また、端末検出部６４は、第１無線端末装置２０ａが充電装置３２から取り外された旨を通知された場合、その旨をデータ制御部６６に通知する。
【００４６】
データ制御部６６は、端末検出部６４において第１無線端末装置２０ａと第３無線端末装置２０ｃの双方が検出された場合、第１無線端末装置２０ａの識別情報と、第３無線端末装置２０ｃの識別情報とを入れ替えながら、ユーザデータを第３無線端末装置２０ｃに記憶させる。具体的には、データ制御部６６は、第１無線端末装置２０ａに向けて、第３無線端末装置２０ｃの識別情報を自己の識別情報として登録する旨の要求信号を第２通信部６２に送信させる。また、データ制御部６６は、第３無線端末装置２０ｃに向けて、第１無線端末装置２０ａの識別情報を自己の識別情報として登録する旨の要求信号を第２通信部６２に送信させるとともに、第１無線端末装置２０ａに記憶されているユーザデータを記憶させる旨の要求信号を第２通信部６２に送信させる。これにより、第１無線端末装置２０ａと第３無線端末装置２０ｃとを入れ替えることができる。
【００４７】
データ制御部６６は、第１無線端末装置２０ａと第３無線端末装置２０ｃとを入れ替えた後に、第１無線端末装置２０ａと第３無線端末装置２０ｃとを更に入れ替えることによって元の状態に戻す場合、第３無線端末装置２０ｃに記憶された所定のデータを消去する。
具体的には、データ制御部６６は、第１無線端末装置２０ａと第３無線端末装置２０ｃとを入れ替えた後に、端末検出部６４を介して、充電装置３２から第１無線端末装置２０ａが取り外されたことが通知された場合、第３無線端末装置２０ｃに向けて、第１無線端末装置２０ａに登録されていた識別情報を登録する。さらに、データ制御部６６は、第３無線端末装置２０ｃに記憶されているユーザデータを消去させる旨の要求信号を第２通信部６２に送信させる。また、第１無線端末装置２０ａに向けて、第３無線端末装置２０ｃに登録されていた識別情報を登録させる旨の要求信号を第２通信部６２に送信させる。このような態様により、元の状態に戻すことができる。
【００４８】
図４は、図２の第１無線端末装置２０ａもしくは第３無線端末装置２０ｃの構成例を示す図である。ここでは、説明の便宜上、第１無線端末装置２０ａもしくは第３無線端末装置２０ｃを無線端末装置２０として説明する。無線端末装置２０は、移動無線用アンテナ２２と、無線ＬＡＮ用アンテナ２４と、移動無線通信部２６と、無線ＬＡＮ通信部２８と、端末制御部４２と、識別情報記憶部４４と、ユーザデータ記憶部４６と、充電制御部３６と、バッテリー４８とを含む。
【００４９】
移動無線用アンテナ２２は、移動無線通信部２６と接続され、移動無線方式による信号の送受信処理を実行する。移動無線通信部２６は、移動無線用アンテナ２２もしくは端末制御部４２から送られた信号に対して、誤り訂正処理などの変復調処理を実行する。移動無線用アンテナ２２は、図１に示す第１通信エリア４１０もしくは第２通信エリア４２０において、第１移動通信用基地局装置７０ａもしくは第２移動通信用基地局装置７０ｂとの間の移動無線通信の実行の際に用いられる。
【００５０】
無線ＬＡＮ用アンテナ２４は、無線ＬＡＮ通信部２８と接続され、無線ＬＡＮ方式による信号の送受信処理を実行する。無線ＬＡＮ通信部２８は、無線ＬＡＮ用アンテナ２４もしくは端末制御部４２から送られた信号に対し、誤り訂正処理などの変復調処理を実行する。無線ＬＡＮ用アンテナ２４は、図１に示す第３通信エリア４３０において、ＦＭＣサーバ８０との間の無線ＬＡＮによる通信の実行の際に用いられる。
【００５１】
充電制御部３６は、充電装置３２から供給された電力をバッテリー４８に中継する。バッテリー４８は、供給された電力を蓄積する。また、充電制御部３６は、充電装置３２を介して、ＦＭＣ制御装置３０からの通信信号を受けた場合、その信号を端末制御部４２に中継する。これにより、無線端末装置２０は、ＦＭＣ制御装置３０との間で有線通信が実行できる。
【００５２】
端末制御部４２は、図１に示す通信エリアに応じて、移動無線通信部２６と無線ＬＡＮ通信部２８における通信の実行の切替を管理する。また、端末制御部４２は、第３通信エリア４３０内において、無線ＬＡＮ通信部２８を介して送付された、図示しないＦＭＣ制御装置３０からの指示にしたがって、識別情報記憶部４４もしくはユーザデータ記憶部４６にアクセスし、登録もしくは削除処理を実行する。
【００５３】
識別情報記憶部４４は、端末制御部４２の指示にしたがって、識別情報を記憶する。ユーザデータ記憶部４６は、端末制御部４２の指示にしたがって、ユーザデータを記憶する。なお、第３無線端末装置２０ｃの場合、端末制御部４２の指示により、ユーザデータ記憶部４６に記憶されたユーザデータが消去される。
【００５４】
上述したこれらの構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００５５】
つぎに、ＦＭＣ制御装置３０の動作について説明する。図５は、図１の第３通信エリア４３０内における通信システムの動作例を示すシーケンス図である。本処理は、ユーザが第１無線端末装置２０ａを充電装置３２と接続したことを契機として開始されてもよいし、また、ユーザからの開始要求を受け付けたことを契機として開始されてもよい。
【００５６】
まず、充電装置３２は、第１無線端末装置２０ａに対し、充電を開始したことを検知して（Ｓ１０）、ＦＭＣ制御装置３０に報告する（Ｓ１２）。ここで、ＦＭＣ制御装置３０は、第１無線端末装置２０ａに対し、充電装置３２を介して、識別情報とユーザデータとを要求する旨の信号を送信する（Ｓ１４、Ｓ１６）。ここで、要求された第１無線端末装置２０ａは、図４に図示する識別情報記憶部４４に記憶された識別情報と、ユーザデータ記憶部４６に記憶されたユーザデータとを、充電装置３２を介して、ＦＭＣ制御装置３０に送信する（Ｓ１８、Ｓ２０）。
【００５７】
また、ＦＭＣ制御装置３０は、第３無線端末装置２０ｃに対し、ＡＰ３４を介して、識別情報を要求する旨の信号を送信する（Ｓ２２、Ｓ２４）。ここで、要求された第３無線端末装置２０ｃは、図４に図示する識別情報記憶部４４に記憶された識別情報を、ＡＰ３４を介して、ＦＭＣ制御装置３０に送信する（Ｓ２６、Ｓ２８）。
【００５８】
さらに、ＦＭＣ制御装置３０は、第１無線端末装置２０ａに対し、充電装置３２を介して、第３無線端末装置２０ｃから送信された識別情報を自己の識別情報として登録することを要求する（Ｓ３０、Ｓ３２）。第１無線端末装置２０ａは、要求を受けて、送信された識別情報を自己の識別情報として識別情報記憶部４４に登録する（Ｓ３４）。
【００５９】
また、ＦＭＣ制御装置３０は、第３無線端末装置２０ｃに対し、ＡＰ３４を介して、第１無線端末装置２０ａから送信された識別情報とユーザデータとを自己の識別情報、ユーザデータとして登録することを要求する（Ｓ３６、Ｓ３８）。第３無線端末装置２０ｃは、要求を受けて、送信された識別情報を自己の識別情報として識別情報記憶部４４に登録し、また、送信されたユーザデータをユーザデータ記憶部４６に登録する（Ｓ４０）。
【００６０】
上述の態様をとることによって、充電中の無線端末装置２０の識別情報と、別の無線端末装置２０の識別情報とを入れ替えながら、所定のデータを別の無線通信装置に記憶させることによって、同一の電話番号を複数の無線端末装置２０の間で切替えることができる。これにより、充電中であっても、同一の機能を有する無線端末装置２０を用いることができるため、ユーザの利便性を向上できる。充電中の無線端末装置２０の識別情報と別の無線端末装置２０の識別情報とを入れ替えた後に、再び、充電中の無線端末装置２０の識別情報と別の無線端末装置２０の識別情報とを入れ替える場合、別の無線端末装置２０に記憶された所定のデータを消去することによって、情報セキュリティ管理を強化できる。
【００６１】
次に、本発明の実施形態１の変形例を示す。なお、前述した実施形態１と共通する部分については同一の符号を付して説明を簡略化する。本変形例は、ＦＭＣ通信システム２００に関する。ＦＭＣ通信システム２００は、図２と同様の構成をとり、ＦＭＣ制御装置３０と無線端末装置２０と充電装置３２とＡＰ３４とを含む。ＦＭＣ制御装置３０は、前述と同様に、複数の無線端末装置のうち、充電中の無線通信端末に割り振られた電話番号等と他の無線通信端末に割り振られた電話番号等とを入れ替える。さらに、ＦＭＣ制御装置３０は、充電中の無線通信端末に対して移動通信機能を使用不可能に設定し、他の無線端末装置の移動通信機能を使用可能に設定する。
【００６２】
これにより、ユーザは、所定の無線通信端末が充電中であっても、充電中の無線端末装置に割り振られた電話番号を用いて、他の無線通信端末を操作することにより、充電中の無線端末装置における環境と同じ環境で、通話等の移動通信を実行できることとなる。また、ユーザは、外出の際に、充電中の無線端末装置のかわりに他の無線通信端末を携帯することによって、ＦＭＣ通信システム２００の第３通信エリア４３０の範囲外においても、通信を実行することができる。
【００６３】
ＦＭＣ通信システム２００は、図２と同様の構成をとり、ＦＭＣ制御装置３０と第１無線端末装置２０ａと第３無線端末装置２０ｃと充電装置３２とＡＰ３４とを含む。また、ＦＭＣ制御装置３０は、図３と同様の構成をとる。また、第１無線端末装置２０ａと第３無線端末装置２０ｃは、図４に図示する構成と同様の構成をとる。ただし、第１無線端末装置２０ａは、移動無線通信部２６および無線ＬＡＮ通信部２８の双方の機能が使用可能に設定され、また、第３無線端末装置２０ｃは無線ＬＡＮ通信部２８の機能が使用可能に設定されているものとする。一方、第３無線端末装置２０ｃの移動無線通信部２６は、使用不可能に設定されているものとする。
【００６４】
充電装置３２は、充電端子に第１無線端末装置２０ａの充電端子が接触したことを契機として、ＦＭＣ制御装置３０に対し、第１無線端末装置２０ａを検出した旨を通知する。ＦＭＣ制御装置３０は、充電装置３２からの通知を契機として、ＦＭＣ制御装置３０と無線端末装置２０との間の通信の中継を開始する。これにより、無線端末装置２０は、ＡＰ３４だけでなく、充電装置３２を介しても、ＦＭＣ制御装置３０との間で通信を実行できることとなる。
【００６５】
端末検出部６４は、充電装置３２に接続された第１無線端末装置２０ａを検出する。ここで、充電装置３２に接続される第１無線端末装置２０ａは、所定のユーザデータを記憶し、少なくとも公衆用の無線通信機能を含む無線通信機能を有し、公衆用の無線通信機能が使用可能に設定されている無線端末装置２０である。また、端末検出部６４は、公衆用の無線通信機能と自営網無線通信機能とを有し、公衆用の無線通信機能が使用不可能に設定されている第３無線端末装置２０ｃをＡＰ３４を介して検出する。
【００６６】
データ制御部６６は、端末検出部６４において第１無線端末装置２０ａと第３無線端末装置２０ｃの双方が検出された場合、第１無線端末装置２０ａにおける公衆用の無線通信機能を使用不可能に設定し、さらに、第３無線端末装置２０ｃにおける公衆用の無線通信機能を使用可能に設定しながら、所定のユーザデータを第２無線通信装置に記憶させる。
【００６７】
また、データ制御部６６は、第１無線端末装置２０ａにおける公衆用の無線通信機能を使用不可能に設定した後に、第１無線端末装置２０ａにおける公衆用の無線通信機能を使用可能の状態に戻す場合、第３無線端末装置２０ｃにおける公衆用の無線通信機能を使用不可能に設定する。さらに、データ制御部６６は、所定のユーザデータを第３無線端末装置２０ｃから消去させる旨の信号を第２通信部６２に送信させる。
【００６８】
以上の態様のもと、ＦＭＣ制御装置３０は、以下の手順で、第１無線端末装置２０ａと第３無線端末装置２０ｃの移動通信にかかる機能の有効性の設定／解除を制御する。なお、識別情報やユーザデータの入れ替え処理については、前述した実施形態と同様の処理が実行されればよいため、簡略化して説明する。
【００６９】
（１）ＦＭＣ制御装置３０は、第１無線端末装置２０ａが充電装置３２に接続されたことを検知する。また、ＦＭＣ制御装置３０は、ＡＰ３４を介して、第３無線端末装置２０ｃを検知する。ＦＭＣ制御装置３０は、充電装置３２に接続された第１無線端末装置２０ａを介して、第３無線端末装置２０ｃを検出してもよい。
（２）ＦＭＣ制御装置３０は、第１無線端末装置２０ａと第３無線端末装置２０ｃのそれぞれの識別情報の入れ替え処理を実行する。また、ＦＭＣ制御装置３０は、第１無線端末装置２０ａのユーザデータを第３無線端末装置２０ｃのユーザデータ記憶部４６に登録させる。
【００７０】
（３）ＦＭＣ制御装置３０は、第１無線端末装置２０ａから、移動通信を可能とするための情報（以下、「設定情報」と表記する。）を取得する。設定情報は、通信事業者から割当られた識別番号等を含む。また、ＦＭＣ制御装置３０は、第１無線端末装置２０ａに対し、第１無線端末装置２０ａの移動無線通信部２６にかかる機能を使用不可能に設定させる旨を要求する。第１無線端末装置２０ａは、登録された設定情報を削除し、移動無線通信部２６にかかる機能を使用不可能に設定する。
【００７１】
（４）さらに、ＦＭＣ制御装置３０は、ＡＰ３４を介し、第３無線端末装置２０ｃの移動無線通信部２６にかかる機能を使用可能に設定させる。具体的には、ＦＭＣ制御装置３０は、第３無線端末装置２０ｃに対し、設定情報を含む設定要求信号を送信する。第３無線端末装置２０ｃは、無線ＬＡＮ通信部２８において設定要求信号を受信する。設定要求信号は、端末制御部４２に伝えられ、設定要求信号に含められた設定情報を登録し、移動無線通信部２６にかかる機能を使用可能に設定する。
【００７２】
つぎに、ユーザが第１無線端末装置２０ａを充電装置３２から取り出した場合に、再び、第１無線端末装置２０ａと第３無線端末装置２０ｃとを入れ替え、元の使用環境に戻す場合の手順について説明する。
【００７３】
（１）まず、ＦＭＣ制御装置３０は、第１無線端末装置２０ａが充電装置３２から取り外されたことを検知する。また、ＦＭＣ制御装置３０は、ＡＰ３４を介して、第３無線端末装置２０ｃを検知する。なお、第３無線端末装置２０ｃを検知できなかった場合、第３無線端末装置２０ｃは、ユーザとともに、ＦＭＣ制御装置３０の第３通信エリア４３０の範囲外に存在すると判断されるため、以下の処理は実行しない。
【００７４】
（２）ＦＭＣ制御装置３０は、第１無線端末装置２０ａと第３無線端末装置２０ｃの双方を検出した場合、まず、第３無線端末装置２０ｃから設定情報を取得する。また、第３無線端末装置２０ｃに対し、移動通信にかかる機能を使用不可能に設定させる旨と設定情報を消去させる旨を要求する。つぎに、ＦＭＣ制御装置３０は、第１無線端末装置２０ａに対し、第３無線端末装置２０ｃから取得した設定情報を送信し、登録させることによって、第１無線端末装置２０ａの移動通信にかかる機能を使用可能に設定させる。
【００７５】
（３）ここで、ＦＭＣ制御装置３０は、第３無線端末装置２０ｃに対し、登録されたユーザデータの消去を要求する信号を送信する。第３無線端末装置２０ｃは、要求信号にもとづき、記憶されたユーザデータを消去する。
【００７６】
以上の態様により、同時に使用できる無線端末装置２０は、１台であるため、セキュリティを強化できることとなる。なお、移動通信機能の有効性の設定／解除に先だって、第１無線端末装置２０ａからパスワードを取得し、ＦＭＣ制御装置３０に予め設定されたパスワードが一致する場合に、ＦＭＣ制御装置３０は、移動通信機能の有効性の設定／解除にかかる処理を実行してもよい。これにより、さらにセキュリティを強化できることとなる。
【００７７】
図６は、本発明の実施形態の変形例にかかる通信システムの動作例を示すシーケンス図である。本処理は、ユーザが第１無線端末装置２０ａを充電装置３２と接続したことを契機として開始されてもよいし、また、ユーザからの開始要求を受け付けたことを契機として開始されてもよい。
【００７８】
まず、充電装置３２は、第１無線端末装置２０ａに対し、充電を開始したことを検知して（Ｓ６０）、ＦＭＣ制御装置３０に検知したことを報告する（Ｓ６２）。また、ＡＰ３４は、第３無線端末装置２０ｃから通信の開始要求があった場合（Ｓ６４）、ＦＭＣ制御装置３０に検知したことを報告する（Ｓ６６）。ＦＭＣ制御装置３０は、第１無線端末装置２０ａに対し、充電装置３２を介して、設定情報を送信する旨を要求する（Ｓ６８、Ｓ７０）。ここで、要求された第１無線端末装置２０ａは、設定情報を、充電装置３２を介して、ＦＭＣ制御装置３０に送信する（Ｓ７２、Ｓ７４）。
【００７９】
つぎに、ＦＭＣ制御装置３０は、充電装置３２を介して、第１無線端末装置２０ａに対し、図４に示す移動無線通信部２６の機能を解除することを要求する（Ｓ７６、Ｓ７８）。第１無線端末装置２０ａは、登録されている設定情報を消去することによって、移動無線通信部２６の機能を解除し、当該機能を使用不可能に設定する（Ｓ８０）。
【００８０】
さらに、ＦＭＣ制御装置３０は、ＡＰ３４を介して、第３無線端末装置２０ｃに対し、設定要求信号を送信する（Ｓ８２、Ｓ８４）。第３無線端末装置２０ｃは、送信された設定要求信号に含まれる設定情報を自己の設定情報として登録することによって、図４に示す移動無線通信部２６の機能を使用可能に設定する（Ｓ８６）。設定が完了した場合、第３無線端末装置２０ｃは、ＡＰ３４を介し、ＦＭＣ制御装置３０に対し、設定が完了した旨を報告する（Ｓ８８、Ｓ９０）。
【００８１】
以上の態様により、本変形例においては、充電中の無線端末装置２０における移動通信機能を使用不可能に設定し、さらに、別の無線端末装置２０における移動通信機能を使用可能に設定しながら、所定のデータを別の無線端末装置２０に記憶させることによって、いずれか１つの無線端末装置２０による通信のみが可能となり、情報セキュリティ管理を強化できる。また、ユーザは、所定の無線端末装置２０が充電中であっても、充電中の無線端末装置２０に割り振られた電話番号を用いて、他の無線端末装置２０を操作することにより、充電中の無線端末装置２０における環境と同じ環境で、通話等の移動通信を実行できることとなる。また、ユーザは、外出の際に、充電中の無線端末装置２０のかわりに他の無線端末装置２０を携帯することによって、ＦＭＣ通信システム２００の第３通信エリア４３０の範囲外においても、通信を実行することができる。
【００８２】
（実施形態２）
次に、本発明の実施形態２について示す。実施形態２は、実施形態１と同様に、ＦＭＣ通信システムに関する。なお、前述した実施形態１と共通する部分については同一の符号を付して説明を簡略化する。実施形態２におけるＦＭＣ通信システムは、図７に示す構成をとる。
【００８３】
図７は、本発明の実施形態２にかかるＦＭＣ通信システム３００の構成例を示す図である。ＦＭＣ通信システム３００は、ＦＭＣ制御装置３０と、充電装置３２と、無線端末装置２０と、代替無線端末装置９０とを含む。代替無線端末装置９０は、公衆用の無線機能と、自営網用の無線機能とを有している。
【００８４】
無線端末装置２０は、公衆用の無線機能を実行するための識別情報（以下、公衆無線用識別情報という）を有する。一方、代替無線端末装置９０は、公衆無線用識別情報を有しておらず、無線端末装置２０の代替専用の端末となる。代替無線端末装置９０は、もっぱら、無線端末装置２０が充電装置３２と接続されて、充電状態にあるときに、無線端末装置２０から公衆無線用識別情報を貸与してもらうことによって、一時的に公衆無線機能が使用可能となる。
【００８５】
以上の態様により、無線端末装置２０が使用不可の場合においても、無線端末装置２０の代わりに、公衆用無線通信を一時的に実行できる端末装置として、代替無線端末装置９０をユーザに提供できる。たとえば、家庭内において、代替無線端末装置９０のような代替専用端末を１台用意しておくことによって、自己の無線端末装置２０が充電中であったとしても、それの代わりに使用できる無線端末を簡易に用意できる。なお、無線端末装置２０と、代替される代替無線端末装置９０とは、互いに事前に登録されているものとする。したがって、両端末装置間のセキュリティを保証できる。
【００８６】
なお、実施形態１と異なり、各無線端末装置間においては、ＦＭＣ制御装置３０や図示しないＡＰを介さずに、互いの自営網用の無線機能により、アドホックモードなどによる通信を実行するものとする。このような態様により、他の装置に影響されることがないため、ユーザの利便性を向上できる。
【００８７】
図８は、図７の無線端末装置２０の構成例を示す図である。図８に示した無線端末装置２０は、図４に示した無線端末装置２０に、データ制御部８２を加えた構成となっている。なお、図示を省略したが、ディスプレイ画面やキーボード、マイク、スピーカなどの入出力インタフェースを備えていてもよい。
【００８８】
充電制御部３６は、本無線端末装置２０が充電装置３２と接続されたこと、また、充電装置３２との接続が解除されたを検知する。接続されたことを検知した場合、充電装置３２からバッテリー４８に対する充電処理を実行させる。また、充電制御部３６は、接続が解除されたことを検出した場合、充電処理を終了させる。
【００８９】
また、充電制御部３６は、充電処理が開始された旨、あるいは、充電処理を終了した旨を端末制御部４２に通知する。なお、図示しない入出力インタフェースを介してユーザから指示があった場合を契機として、充電制御部３６は、充電処理を開始し、また、充電処理を終了させてもよい。以下、（１）充電処理を開始する場合と、（２）充電処理を終了する場合の２つに分けて説明する。
【００９０】
（１）端末制御部４２は、充電が開始された旨を通知された場合、無線ＬＡＮ通信部２８に対して、代替無線端末装置９０の検出処理を実行させる。無線ＬＡＮ通信部２８は、代替無線端末装置９０を検出した場合、その旨を端末制御部４２に通知する。端末制御部４２は、検出された代替無線端末装置９０が、予め登録された代替無線端末であることを確認する。
【００９１】
端末制御部４２は、検出された代替無線端末装置９０が、予め登録された代替無線端末であった場合、データ制御部８２にその旨を通知する。データ制御部８２は、代替無線端末装置９０が検出された場合、識別情報記憶部４４にアクセスして公衆無線用識別情報を取得し、また、ユーザデータ記憶部４６にアクセスしてユーザデータを取得する。ユーザデータとは、予め登録された電話張や、メールアドレス、あるいは、過去の発着信履歴などを含む。データ制御部８２は、取得した公衆無線用識別情報と、ユーザデータとを端末制御部４２に送る。
【００９２】
端末制御部４２は、データ制御部８２から送られた公衆無線用識別情報とユーザデータとをまとめて、無線ＬＡＮ通信部２８を介して、代替無線端末装置９０に送信する。ここで、端末制御部４２は、代替無線端末装置９０に公衆無線用識別情報等を送信する前に、あらかじめ、移動無線通信部２６の機能を停止させる。公衆無線用識別情報を代替無線端末装置９０に送信したことにより、同一の公衆無線用識別情報による２つの公衆無線が同時に発生しないようにするためである。
【００９３】
（２）端末制御部４２は、充電が終了された旨を通知された場合、無線ＬＡＮ通信部２８を介して、代替無線端末装置９０に対して、公衆無線用識別情報とユーザデータとの消去を要求する。端末制御部４２は、無線ＬＡＮ通信部２８を介して、代替無線端末装置９０から、消去が完了した旨の報告があった場合、移動無線通信部２６の機能を再起動させる。
【００９４】
つぎに、代替無線端末装置９０の構成について説明する。代替無線端末装置９０は、図８の構成と同様の構成をとる。無線端末装置２０との相違は、識別情報記憶部４４には、代替無線端末装置９０自身の公衆無線用識別情報が記憶されておらず、また、ユーザデータ記憶部４６には、代替無線端末装置９０自身のユーザデータが記憶されていない点である。
【００９５】
代替無線端末装置９０は、無線端末装置２０により検出されたことを契機として、代替機としての動作を開始する。なお、無線端末装置２０による検出を容易とするために、代替無線端末装置９０を使用するユーザは、代替無線端末装置９０を無線端末装置２０の近傍に移動させてもよい。また、代替無線端末装置９０は、無線端末装置２０に対して、代替無線端末装置９０を検出させるための既知信号などを送信することによって、無線端末装置２０における検出を容易にさせてもよい。
【００９６】
代替無線端末装置９０の端末制御部４２は、無線端末装置２０により検出されるまでは、移動無線通信部２６の機能を停止させておく。検出された場合、代替無線端末装置９０の端末制御部４２は、無線ＬＡＮ通信部２８を介して、認証のための識別番号やパスワードを無線端末装置２０に送信する。認証された場合、代替無線端末装置９０の端末制御部４２は、無線ＬＡＮ通信部２８を介して、無線端末装置２０から送信された公衆無線用識別情報とユーザデータとを受信する。
【００９７】
さらに、端末制御部４２は、データ制御部８２を介して、受信した公衆無線用識別情報とユーザデータとを識別情報記憶部４４とユーザデータ記憶部４６にそれぞれ記憶する。また、端末制御部４２は、移動無線通信部２６の機能を起動させる。このような態様により、代替無線端末装置９０は、無線端末装置２０の代わりに、移動無線通信部２６による公衆用の無線通信が可能となる。
【００９８】
無線端末装置２０から消去要求を受信した場合、代替無線端末装置９０のデータ制御部８２は、識別情報記憶部４４とユーザデータ記憶部４６とに記憶された、無線端末装置２０の公衆無線用識別情報とユーザデータとを消去する。消去が完了した場合、端末制御部４２は、無線ＬＡＮ通信部２８を介して、その旨を無線端末装置２０に通知する。また、端末制御部４２は、移動無線通信部２６の機能を停止する。
【００９９】
図９は、図７のＦＭＣ通信システム３００における第１の動作例を示すシーケンス図である。第１の動作例は、充電を開始する場合のシーケンス図である。まず、充電開始時には、ユーザにより、無線端末装置２０は、充電装置３２に接続される（Ｓ１００）。充電装置３２は、無線端末装置２０が接続されたことを検出する（Ｓ１０２）。ここで、充電装置３２は、無線端末装置２０に対する充電処理を開始する（Ｓ１０４）。ここで、代替無線端末装置９０は、無線端末装置２０に対して、検出を容易にさせるための検索信号を送信し（Ｓ１０６）、それにともなって、無線端末装置２０は、代替無線端末装置９０を検出する（Ｓ１０８）。
【０１００】
無線端末装置２０は、代替無線端末装置９０に検出した旨を伝える（Ｓ１１０）。ここで、代替無線端末装置９０は、無線端末装置２０に対して、無線端末装置２０の代替端末になる旨を要求する（Ｓ１１２）。ここで、無線端末装置２０は、代替無線端末装置９０が予め登録されている代替端末であるかどうかを判定するために、代替無線端末装置９０に対して、識別番号やパスワードなどの認証に関する情報を要求する（Ｓ１１４）。
【０１０１】
代替無線端末装置９０は、無線端末装置２０に、自己の識別番号やパスワードなどを送信する（Ｓ１１６）。無線端末装置２０は、送信された認証に関する情報を確認し、確認がとれた場合、自己の公衆無線用識別情報と、ユーザデータとを代替無線端末装置９０に送信する（Ｓ１１８）。代替無線端末装置９０は、送信された公衆無線用識別情報と、ユーザデータとを記憶する（Ｓ１２０）。さらに、代替無線端末装置９０は、無線端末装置２０に、記憶が完了した旨を報告する（Ｓ１２２）。
【０１０２】
無線端末装置２０は、報告を契機として、代替無線端末装置９０に対して、公衆用無線端末装置としての動作に切り替えてもよい旨を通知する（Ｓ１２４）とともに、自己の公衆無線の機能を停止する（Ｓ１２６）。代替無線端末装置９０は、Ｓ１２４の通知に対するＡｃｋを返す（Ｓ１２８）。また、無線端末装置２０は、公衆無線の機能を停止した旨を報告して（Ｓ１３２）、動作切り替えを促す。代替無線端末装置９０は、自己の公衆用無線の機能を起動する（Ｓ１３４）。
【０１０３】
図１０は、図７のＦＭＣ通信システム３００における第２の動作例を示すシーケンス図である。第２の動作例は、充電を終了する場合のシーケンス図である。まず、充電装置３２と無線端末装置２０とが接続され、無線端末装置２０が充電されているものとする（Ｓ１５０）。ここで、無線端末装置２０が充電装置３２から取り外された場合、無線端末装置２０は、充電装置３２から離脱したことを検出する（Ｓ１５２）。ここで、無線端末装置２０は、代替無線端末装置９０に対して、消去を要求する（Ｓ１５４）。
【０１０４】
代替無線端末装置９０は、無線端末装置２０からの消去要求を受けて、公衆無線用識別情報とユーザデータとを消去する（Ｓ１５６）。消去完了後、代替無線端末装置９０は、無線端末装置２０に、消去が完了した旨を報告する（Ｓ１５８）。ここで、無線端末装置２０は、自己の公衆無線用の機能を起動する（Ｓ１６０）。一方、代替無線端末装置９０は、公衆無線用の機能を停止する（Ｓ１６２）。なお、代替無線端末装置９０において、Ｓ１５８とＳ１６２の処理は、逆であってもよい。
【０１０５】
つぎに変形例を説明する。実施形態２の変形例は、実施形態２と同様に、ＦＭＣ通信システムに関する。なお、前述した実施形態１、もしくは、実施形態２と共通する部分については同一の符号を付して説明を簡略化する。
【０１０６】
本変形例におけるＦＭＣ通信システムは、図７に示す構成をとる。図７の構成との相違点は、代替無線端末装置９０の代わりに、図示しない子機専用端末装置９２が存在する点である。子機専用端末装置９２とは、家庭内や構内などの比較的狭い領域において使用される端末である。また、子機専用端末装置９２は、外部のネットワークと通信するために、中継機が別途存在することが必要となる。本変形例においては、無線端末装置２０が充電装置３２と接続されている場合にかぎり、無線端末装置２０が子機専用端末装置９２の中継機としての役割を担うこととしている。
【０１０７】
子機専用端末装置９２の構成は、図８の構成と同様の構成をとるが、移動無線通信部２６と移動無線用アンテナ２２は備えていない。子機専用端末装置９２は、中継機としての無線端末装置２０との間で、自営網用の無線通信を実行する。ここで、無線端末装置２０に対する着信は、自営網用の無線通信を介して、子機専用端末装置９２に転送される。また、子機専用端末装置９２は、自営網用の無線通信網を介して無線端末装置２０に発信要求し、無線端末装置２０が公衆用の無線通信を用いて、発信処理を実行する。そのため、本変形例の無線端末装置２０は、充電中であっても公衆用の無線機能を停止しない。したがって、本変形例における子機専用端末装置９２は、代替無線端末装置９０からの識別情報を取得する必要はない。
【０１０８】
本変形例において、無線端末装置２０は、充電装置３２と接続されたことを契機として、子機専用端末装置９２を検出し、認証後、ユーザデータを送信して、中継モードに移行する。また、無線端末装置２０は、充電装置３２から離脱したことを契機として、子機専用端末装置９２にユーザデータの消去を要求して、中継モードから通常の通信モードに戻る。なお、他の構成、および、他の処理については、前述と同様であるため説明を省略する。
【０１０９】
以上述べたように、無線端末装置２０が充電されている場合などであっても、自営網の無線通信により検出した子機専用端末装置９２との間において、公衆用無線通信部を介して送受信される無線信号を自営網の無線通信を用いて中継することによって、ユーザに使用可能な無線端末を簡易に提供することができる。
【０１１０】
以上、本発明を実施形態をもとに説明した。この実施形態は例示であり、実施形態相互の組み合わせや、それらの各構成要素や各処理プロセスの組合せにいろいろな変形例が可能なこと、またそうした変形例も本発明の範囲にあることは当業者に理解されるところである。
【０１１１】
なお、ＦＭＣ制御装置３０は、ＡＰ３４を介して、第３無線端末装置２０ｃを検知するとして説明したが。ＦＭＣ制御装置３０は、充電装置３２に接続された第１無線端末装置２０ａを介して、第３無線端末装置２０ｃを検出してもよい。この場合、第１無線端末装置２０ａと第３無線端末装置２０ｃとは、赤外線通信などの近距離無線通信を実行する図示しない近距離無線通信部を互いに備えればよい。このような態様であっても、前述と同様の効果を得ることができることは言うまでもない。
【０１１２】
なお、ＦＭＣ制御装置３０は、第１無線端末装置２０ａと第３無線端末装置２０ｃの識別情報を入れ替えるとして説明した。しかしながらこれにかぎらず、ＦＭＣ制御装置３０は、第１無線端末装置２０ａに対しては、第３無線端末装置２０ｃの識別情報を記憶させなくともよい。また、第１無線端末装置２０ａは、無線ＬＡＮ通信部２８の機能を停止してもよい。このような場合、第１無線端末装置２０ａは、ＡＰ３４を介した通信のみが可能となる。
【０１１３】
なお、実施形態２においては、自営用の無線通信システムが使用されるとして説明したが、自営用でない無線通信システムや、有線による通信システムが使用されてもよい。また、無線端末装置２０や代替無線端末装置９０のデータ制御部８２は、識別情報記憶部４４に対する書き込みの際に認証処理を実行してもよい。認証処理は、ユーザにパスワードを入力させてもよいし、生体認証であってもよい。これにより、不正な書込みを防止できる。
【０１１４】
また、データ制御部８２は、識別情報記憶部４４に格納されている識別情報と、ユーザデータ記憶部４６に格納されているデータ情報のうちの少なくとも一部を一括して消去する手段、または、無効化する手段を含んでもよい。無効化する手段は、データごとに対応づけたフラグを管理することによって、そのデータの有効や無効を管理してもよい。たとえば、フラグに１を設定することによって、そのデータは無効であると判断してもよい。この場合、データ制御部８２は、代替無線端末装置９０などの別の無線端末装置２０への通知の後に、別の無線端末装置２０との間で、同一の識別情報、もしくは、同一のデータ情報が同時に有効とならないように、消去する手段または無効化する手段を用いて、識別情報記憶部４４やユーザデータ記憶部４６に対するアクセスを制御してもよい。このような態様により、簡易に、データのセキュリティ性を向上できる。
【０１１５】
また、データ制御部８２は、別の無線端末装置２０との間において、識別情報記憶部４４に格納されている識別情報と、ユーザデータ記憶部４６に格納されているデータ情報とのうち、無効化されていない情報について交換してもよい。また、端末制御部４２は、データ制御部８２に含まれた消去する手段または無効化する手段により識別情報を消去もしくは無効にすることをもって、公衆用の無線通信システムの機能の停止処理を実現してもよい。このような態様によって、簡易に、端末装置の識別情報を管理できる。
【０１１６】
また、実施形態２においては、充電の開始もしくは終了を契機として、代替無線端末装置９０、もしくは、子機専用端末装置９２が検出されるとして説明した。しかしながらこれにかぎらず、たとえば、充電の開始と関係なく、ユーザの指示により、代替無線端末装置９０や子機専用端末装置９２が検出されてもよい。また、無線端末装置２０は、当該無線端末装置２０が予め設定された特定の場所に位置している場合に、自己の識別情報を、別の無線端末装置２０に通知してもよい。この場合、無線端末装置２０は、自己が位置している場所を検出する場所検出部をさらに備えればよい。このような態様であっても、前述した効果と同様の効果を奏することができ、また、ユーザの利便性を向上できる。
【０１１７】
また、実施形態２の変形例においては、子機専用端末装置９２が１台の場合について説明したが、これにかぎらず、子機専用端末装置９２が複数台あってもよい。いずれかの子機専用端末装置９２がメインの子機となって、他の子機との間でユーザデータを共有するようにしてもよい。この場合において、子機間において認証処理が実行されてもよい。このような態様であっても、前述した効果と同様の効果を奏することができ、また、ユーザの利便性を向上できる。
【図面の簡単な説明】
【０１１８】
【図１】図１（ａ）、（ｂ）は、本発明の実施形態１にかかるＦＭＣ通信システムの第１、第２の態様例を示す図である。
【図２】図１の第３通信エリア内における通信システムの構成例を示す図である。
【図３】図２のＦＭＣ制御装置の構成例を示す図である。
【図４】図２の第１無線端末装置もしくは第３無線端末装置の構成例を示す図である。
【図５】図１の第３通信エリア内における通信システムの動作例を示すシーケンス図である。
【図６】本発明の実施形態１の変形例にかかる通信システムの動作例を示すシーケンス図である。
【図７】本発明の実施形態２にかかるＦＭＣ通信システムの構成例を示す図である。
【図８】図７の無線端末装置の構成例を示す図である。
【図９】図７のＦＭＣ通信システムにおける第１の動作例を示すシーケンス図である。
【図１０】図７のＦＭＣ通信システムにおける第２の動作例を示すシーケンス図である。
【符号の説明】
【０１１９】
２０  無線端末装置、  ２２  移動無線用アンテナ、  ２４  無線ＬＡＮ用アンテナ、  ２６  移動無線通信部、  ２８  無線ＬＡＮ通信部、  ３０  ＦＭＣ制御装置、  ３２  充電装置、  ３４  ＡＰ、  ３６  充電制御部、  ４２  端末制御部、  ４４  識別情報記憶部、  ４６  ユーザデータ記憶部、  ４８  バッテリー、  ５０  ネットワーク、  ６０  第１通信部、  ６２  第２通信部、  ６４  端末検出部、  ６６  データ制御部、  ７０  移動通信用基地局装置、  ８０  ＦＭＣサーバ、  ９０  代替無線端末装置、  ９２  子機専用端末装置、  １００  ＦＭＣ通信システム。
【図１】
2009088715.tif 000003
【図２】
2009088715.tif 000004
【図３】
2009088715.tif 000005
【図４】
2009088715.tif 000006
【図５】
2009088715.tif 000007
【図６】
2009088715.tif 000008
【図７】
2009088715.tif 000009
【図８】
2009088715.tif 000010
【図９】
2009088715.tif 000011
【図１０】
2009088715.tif 000012